(57)【要約】【課題】迅速、簡単かつ効果的にディスクの挿脱を可能とすること。【解決手段】ディスク保存容器の後部カバーに設けられるディスク保持機構は、後部カバーから上方に、かつディスクの中央位置へと向かう内方に伸びる複数の第１表面３７ａ，３７ｂ，３７ｃ，３７ｄと、その第１表面３７ａ，３７ｂ，３７ｃ，３７ｄから上方に伸びる１セットの直立タブ３８ａ，３８ｂ，３８ｃ，３８ｄとを有している。各直立タブ３８ａ，３８ｂ，３８ｃ，３８ｄは、ディスクを保持する各保持タブ４０ａ，４０ｂ，４０ｃ，４０ｄを有している。ディスク保持機構は、また、直立タブ３８ａ，３８ｂ，３８ｃ，３８ｄに接続され、ディスクを外すために押される間、直立タブ３８ａ，３８ｂ，３８ｃ，３８ｄの動きを制限する、１個の直立タブ制限手段４２を有している。【選択図】　図３
2004043019.tif 000002
【特許請求の範囲】
【請求項１】
前部カバーと、
中央に穴を有するディスクを保持することができ、かつ、上記前部カバーを離したり近づけたりして開閉できるように上記前部カバーと回転軸を介して結合している後部カバーと、
を備え、
上記後部カバーは、ディスクを保持するための１個の平面状の後部表面と、上記後部表面と一体形成される１個のディスク保持機構とを有し、
上記ディスク保持機構は、
上記平面上の後部表面から上方に伸び、かつその各々が、上記ディスク保持機構によって保持される時に上記ディスクの中央と横並びの位置となる上記ディスク保持機構の中央位置に向かって内方に伸びる、複数個の第１表面と、
各々が、上記複数個の第１表面の各々に接し、当該各々の第１表面から上方に伸びる、複数個の直立タブと、
各々が、上記複数個の直立タブの各々の先端に形成されると共に上記ディスク保持機構の中心位置から外方向に伸びており、ディスクの内周上に接することによりディスクを保持することができるような、上記後部カバーに対する大きさと位置に設定された、複数個の保持タブと、
上記複数個の直立タブの各々の動きを制限するため、上記複数個の直立タブと連結された直立タブ制限手段と、
を備えることを特徴とする、ディスク保存容器。
【請求項２】
前記直立タブ制限手段は、前記複数個の直立タブの各々と連結している１個の中央リリースボタンであって、
その中央リリースボタンは、それを押すことにより、前記複数個の保持タブの各々が前記ディスク保持機構の中央位置の方向に移動する結果、保持されたディスクが前記ディスク保持機構より解放されるように形成されている、請求項１記載のディスク保存容器。
【請求項３】
前記中央リリースボタンは、前記複数個の直立タブの各々の下部で連結しており、かつ、前記中央リリースボタンを押した際に、前記直立タブの各々の内側への動きを制限する大きさであることを特徴とする、請求項２記載のディスク保存容器。
【請求項４】
前記ディスク保持機構は、４個の前記第１表面、４個の前記直立タブおよび４個の前記保持タブを有し、かつ、４個の前記直立タブが中心部に四角形の開口部を形成するように、これらの前記第１表面、前記直立タブおよび前記保持タブを中心位置に集中配置させていることを特徴とする、請求項１記載のディスク保存容器。
【請求項５】
前記直立タブ制限手段は、４辺を有する四角形の中央リリースボタンであり、その中央リリースボタンの各辺に前記４個の直立タブが接続されており、
上記中央リリースボタンは、それを押すことにより、前記４個の保持タブの各々が前記ディスク保持機構の中央位置の方向に移動する結果、保持されたディスクが前記ディスク保持機構より解放されるように形成されている、請求項４記載のディスク保存容器。
【請求項６】
前記４個の第１表面は、それぞれ、各１個の突出表面と、その突出表面に連接する１個の水平面とを有し、保持されたディスクの中央の穴付近の円形部分が、前記４個の第１表面の前記水平面の各々にのるようになっていることを特徴とする、請求項４記載のディスク保存容器。
【請求項７】
前記ディスク保持機構は、さらに、その中央部であって各一対の隣接する第１表面の間に集中配置され、かつ前記後部カバーの水平状の後部表面から前記ディスク保持機構の中央位置の方向に伸びる４個の第２表面を有し、
上記４個の第２表面の各々は、前記４個の第１表面の各一対の水平面の間に配置された各水平面と連接し、その結果、その保持されたディスクの実質的に全内円周部分を、前記４個の第１表面の水平面と、上記４個の第２表面と連接する水平面とにのるようになっていることを特徴とする、請求項６記載のディスク保存容器。
【請求項８】
第２のディスクを保持するための、第２ディスク保持機構を含む第２ディクスホルダーを有することを特徴とする、請求項１記載のディスク保存容器。
【請求項９】
前記後部カバーの水平状の後部表面と、前記ディスク保持機構の前記第１表面、前記直立タブおよび前記保持タブの全てとが、互いに完全に一体形成されていることを特徴とする、請求項１記載のディスク保存容器。
【発明の詳細な説明】
【０００１】
【発明の属する技術分野】
本発明は、ＣＤ、ＣＤ−ＲＯＭ、ＣＤ−ＲＷ、ＤＶＤ等を含む１以上のオーディオ用、オーディオ−ビジュアル用またはコンピュータメディア用ディスクのディスク保存容器に関する。
【０００２】
【従来の技術】
音楽を記録するコンパクトディスク（すなわち、ＣＤ）、データを記録するコンパクトディスク（すなわち、ＣＤ−ＲＯＭ、ＣＤ−ＲまたはＣＤ−ＲＷ）および映像を記録するコンパクトディスクは、汎用品として広く普及している。これらのタイプのディスクは、通常、ジュエリーボックスとして知られるプラスティック保存容器に保存される。一般的に、これらの容器は、ディスクの中央の穴を利用してディスクを保持する、いろいろな種類の中央保持機構を有する（例えば、特許文献１、２、３、４、５、６、７、８、９および１０参照）。
【０００３】
【特許文献１】
米国特許第６，３９８，０２２号明細書
【特許文献２】
米国特許第６，４１９，０８４号明細書
【特許文献３】
米国特許第５，８２９，５８２号明細書
【特許文献４】
米国特許第４３８，４１８号明細書
【特許文献５】
米国意匠特許第４３９，７８６号明細書
【特許文献６】
米国特許第５，９４４，１８１号明細書
【特許文献７】
米国特許第５，７８８，０６８号明細書
【特許文献８】
米国特許第５，５２６，９２６号明細書
【特許文献９】
米国特許第５，６８５，４２７号明細書
【特許文献１０】
米国特許第５，８８７，７１３号明細書
【０００４】
【発明が解決しようとする課題】
しかし、これらの特許に示される容器の中には、ディスクをはずすのにディスク上に好ましくない力がかかるものがある。また、上記特許に開示される別の容器は、この問題を解消してはいるが、ディスクを外す前に中央保持機構に過度の圧力をかける必要がある。さらに、かかる問題を軽減している他の容器もあるが、それらは、脆弱な保持方法でディスクを保持しているにすぎないものである。
【０００５】
さらに、上記特許に開示される容器には、ディスクを容器に入れたり容器から出したりする繰り返しの使用の後に、例えば、破損したりあるいは保持力を失ったりといった不具合を生じてしまう保持機構を有するものもある。
【０００６】
そこで、本発明の主な目的は、従来の問題を解消するディスク保存容器を提供することにある。本発明のさらなる目的は、迅速、簡単かつ効果的な方法でディスクの挿脱を可能とするディスク保存容器を提供することにある。なお、本発明の各種他の目的、優位性および特徴は、本願を読むいわゆる当業者に容易に明らかになり、特に、新規の特徴は、添付の請求の範囲に見出されるであろう。
【０００７】
【課題を解決するための手段】
本発明は、前部カバーと、中心部に穴を有するディスクを保持する後部カバーとを有する、ディスク保存容器に関する。前部カバーと後部カバーは、回転軸を介して結合されている。容器は、前部カバーと後部カバーとを離したり近づけたりするように動かして開閉できる。後部カバーは、水平状の後部表面とディスク保持機構とを有している。その水平状の後部表面とディスク保持機構とは、連接構造を呈している。ディスク保持機構は、水平状の後部表面から連接して上方に突出している複数個の第１表面を有している。かかる複数個の第１表面は、ディスク保持機構の中心位置に向かって内方に伸びている。ディスク保持機構の中心位置は、ディスク保持機構にディスクを保持した際に、そのディスクの中心に横並びで接する。また、ディスク保持機構は、複数個の直立タブを有している。これらの直立タブは、複数個の第１表面の各々に接しており、かつそこから上方に立ち上がっている。さらに、ディスク保持機構は、複数個の保持タブを有している。各保持タブは、各直立タブの先端に形成されている。各保持タブは、ディスク保持機構の中心位置から外方向に伸びている。また、後部カバーにおける保持タブの大きさと位置は、ディスクの中心付近の上面に直に接してそのディスクを保持できるように設定されている。ディスク保持機構は、複数個の直立タブに連結した１個の直立タブ制限部材を有しており、これにより直立タブの動きが制限されている。
【０００８】
本発明の特徴の一つは、直立タブ制限部材を、各直立タブに接続する１個の中央リリースボタンとしていることである。その中央リリースボタンは、保持されたディスクを解除するために押される時、直立タブをディスク保持機構の中央位置の方向に動かす役割を有している。なお、直立タブ制限部材は、直立タブの動きを制限すると同時に、保持タブの動きをも制限する。したがって、直立タブ制限部材は、保持タブ制限部材と称することもできる。
【０００９】
また、本発明のさらなる特徴は、その中央リリースボタンが、各直立タブの下部に接続され、中央リリースボタンの押し込み時に各直立タブの内方への動きを制限する大きさとされていることである。
【００１０】
また、本発明のさらなる特徴は、ディスク保持機構が、４個の第１表面、４個の直立タブおよび４個の保持タブを有し、各第１表面、直立タブおよび保持タブを中心部に集中して配置し、４個の直立タブの中心部に四角形の開口部を形成するように配置されていることである。
【００１１】
本発明のさらなる特徴の一つは、４個の第１表面の各々が、各１個の突出表面と、その突出表面と連接する１個の水平面とを有しており、保持されたディスクの中央穴部付近の円形状部分が４個の第１表面の各水平面にのることができるようになっている。
【００１２】
また、本発明の特徴の一つは、ディスク保持機構が、さらに各一対の隣接する第１表面の間にあって、中央位置の周りに集中して配置され、後部カバーの後部表面からディスク保持機構の中央位置に向かって上方に伸びる、４個の第２表面を有することである。４個の第２表面の各々は、４個の第１表面の各一対の水平面の間に配置された各水平面を含み、保持されたディスクの中央穴部付近のほぼ全ての円周が第１表面の水平面および第２表面の水平面にのるようになっている。
【００１３】
また、本発明の別の特徴は、その容器が、第２のディスクを保持するための第２ディスク保持機構を有していることである。
【００１４】
また、本発明の別の特徴は、全ての部材が互いに連接していることである。
【００１５】
【発明の実施の形態】
ここでは単にディスク保存容器１０または容器１０と称する、オーディオービジュアル用またはコンピュータメディア用のディスクを保存する容器は、図１に示されている。ディスク保存容器１０は、オーディオＣＤ、ＤＶＤとして知られているビデオディスク、またはＣＤ−ＲＯＭ、ＣＤ−ＲおよびＣＤ−ＲＷディスクのようなコンピュータディスクを保存するために設計されている。もちろん、現在あまり使用されていない他種類のディスクと同様、ミニディスクと称されるディスクを含み、他種類のディスクおよびいろいろな大きさのディスクが保存できる。
【００１６】
容器１０は、１つの前部カバー（または蓋）１２、１つの後部カバー（またはベース）１４および背骨部（＝回転軸）１６を有する。背骨部１６は、前部カバー１２と後部カバー１４の両方に接続され、従来良く知られている方法でその容器１０を閉じることができるようなヒンジとしての機能を有する。背骨部１６は、従来良く知られている方法で機能しており、そのことについてのさらなる記述は、ここでは割愛される。前部カバー１２は、その容器の内部に１つのパンフレットあるいは他の薄いアイテムを保持するために設けられ、かつ従来良く知られているの一対のクリップ１８を有する。
【００１７】
次に、後部カバー１４の上面概略図である図２に言及する。後部カバー１４は、その後部カバー１４に接して、そこから上方に伸びる１つの保持リング２０を有する。保持リング２０は、その内周に沿って伸びる、１つの円形リング状のリッジ２２を有する。リッジ２２は、保存容器１０へのディスクの挿入に際して、コンパクトディスクの外周縁がリッジ２２に十分納まるような大きさとされている。ディスクが納まるリッジ２２の表面は、情報を有するディスクの下面と後部カバー１４の後部表面２４との間に小さな空間ができるように、後部カバー１４の後部表面２４のわずか上方にある。
【００１８】
後部表面２４には、ディスク保持機構３０が設けられている。ディスク保持機構３０は、図３から図４に例示されている。図３の拡大上面図に示されるように、ディスク保持機構３０は、多くの部材を有しており、好適には、その全ての部材を互いに連接して一体形成される。位置Ｐからそれぞれ４５、１３５、２２５および３１５度に配置される４セットの表面３２ａ，３２ｂ，３２ｃ，３２ｄは、中心点Ｃに向かって内方に向かって伸び、かつ後部カバー１４の後部表面２４から上方に（内方に伸びながら）伸びている。各表面３２（すなわち、３２ａ、３２ｂ、３２ｃおよび３２ｄ）は、平面Ｂに沿って伸びる各１つの水平角表面（＝水平面）３３（すなわち、３３ａ，３３ｂ，３３ｃおよび３３ｄ）を終端とする（図４参照）。ディスク保持機構３０の側方断面図である図４に示されるように、後部表面２４は、その上方にあってかつそれに平行な平面Ｂを有する平面Ａに沿って伸びている。ここで、表面３２と水平角表面３３とは、第２表面３１を構成する。
【００１９】
図３に戻ると、ディスク保持機構３０は、表面３２ａ，３２ｂ，３２ｃ，３２ｄと同様に、内方および上方の両方向に伸びる４つの長方形の突出部（＝突出表面）３４ａ，３４ｂ，３４ｃ，３４ｄ（総称して、突出部３４という）を有している。図示されるように、突出部３４ａ，３４ｂ，３４ｃ，３４ｄは、位置Ｐに対してそれぞれ０、９０、１８０および２７０度になるように、中心点Ｃの周囲に配置されている。さらに、各突出部３４ａ，３４ｂ，３４ｃ，３４ｄの各終端は、（表面群３２ａ―３２ｄおよび３３ａー３３ｄと設計上似た）各水平面３５ａ，３５ｂ，３５ｃ，３５ｄ（総称して、水平面３５という）に接している。水平面３５ａ―３５ｄは、水平に配置され、平面Ｂに沿って伸びている。ここで、突出部３４と水平面３５とは、第１表面３７を構成する。
【００２０】
直立タブ３８ａ，３８ｂ，３８ｃ，３８ｄ（総称して、直立タブ３８という）は、各水平面３５ａ，３５ｂ，３５ｃ，３５ｄに接し、かつそこから立ち上がっている。各直立タブ３８は、その先端近傍に、各保持／上昇タブ４０（すなわち、図３に示される４０ａ，４０ｂ，４０ｃおよび４０ｄ）を有する。各保持／上昇タブ４０は、各直立タブ３８に接し、そこから外方向（水平方向）に伸びている。保持／上昇タブ４０ｂ，４０ｄは、図４にも示されている。下記にさらに論じるように、保持／上昇タブ４０ａ，４０ｂ，４０ｃ，４０ｄは、本発明の保存容器１０にディスクを挿入後、ディスクを保持する役割を有し、かつディスクの取り出しの間、そのディスクの上昇を補助する役割をも有する。直立タブ３８と保持／上昇タブ４０は、保持／上昇タブ４０が挿入ディスク上にすぐに配置され、保持／上昇タブ４０のエッジが収納後のディスクの内周と接するように、適切な位置と大きさで設けられている。さらに、ディスクの挿入後（すなわち、ディスクがディスク保存容器１０に納められた時）、（ディスクの中央の穴にすぐ隣接する）ディスクの内側部分は、水平角表面３３ａ−３３ｄおよび水平面３５ａ−３５ｄの両方の上にのる。
【００２１】
４つの直立タブ３８ａ―３８ｄの各々の低内部（すなわち、中央点Ｃに最も近い部分）は、１個の長方形の中央リリースボタン（＝直立タブ制限手段の一例）４２と接続している。中央リリースボタン４２と直立タブ３８ａ―３８ｄとの間の接続は、図４に最も良く示されている。図４は、中央リリースボタン４２を挟む、直立タブ３８ｂと直立タブ３８ｄの間の接続状態を示す。図４に示すように、中央リリースボタン４２は、凹形底部を有していても良い。
【００２２】
本発明のディスク保存容器１０の取り扱い中、そのディスクが保持リング２０の円形部分に納まるように、挿入されるディスクは、後部カバー１４の後部表面２４上に直接置かれる（図２参照）。そのディスクは、その内側の円形エッジが４つの保持／上昇タブ４０ａ，４０ｂ，４０ｃ，４０ｄの上に直接のるように、下方に配置される。この位置で、そのディスクは、わずかに下方に押される。好ましくは、軽く均一な力が、そのディスクの下面に与えられる。そのディスクが下方に押されている間、直立タブ３８ａ，３８ｂ，３８ｃ，３８ｄに設けられた保持／上昇タブ４０ａ―４０ｄも、同様に下方に押される。直立タブ３８ａ，３８ｂ，３８ｃ，３８ｄが下方に移動すると、（直立タブ３８に接している）水平面３５ａー３５ｄも、順に、下方に押される。このようにして、各水平面３５ａ，３５ｂ，３５ｃ，３５ｄに接している各突出部３４ａ，３４ｂ，３４ｃ，３４ｄの上方に伸びる端部は、下方に押される。この結果、各突出部３４ａ―３４ｄは、後部カバー１４の後部表面２４に接する部分を支点に（わずかに）下方にたわむ。
【００２３】
水平面３５ａ―３５ｄおよび直立タブ３８ａ―３８ｄに接する、各突出部３４ａ―３４ｄが下方にたわむと、直立タブ３８ａ―３８ｄの比較的水平な位置は、図５に示される位置になるまで中央点Ｃに近づく。図５に示されるように、そして図３に示される各種部材の初期位置と対比して、各直立タブ３８ａ−３８ｄは、中央リリースボタン４２により近づく。このようにして、各保持／上昇タブ４０ａ―４０ｄは、中央リリースボタン４２（および中央点Ｃ）により近づいていく。保持／上昇タブ４０ａ―４０ｄが（そこにディスクがのることによって）下方に押されると、そのディスクが下方に押される際に保持／上昇タブ４０ａ―４０ｄがそのディスクの中央の穴を通り抜けることができるよう、（先に論じた動作の結果として）十分に内側へと動くように、部材の相対的な長さが設計されている。ディスクが下方に押される時に、保持／上昇タブ４０ａ―４０ｄが中央点Ｃに向かう下方および内方への動作をさらに容易にするため、保持／上昇タブ４０ａ―４０ｄは、図４に最もよく示されるように、ゆるやかに傾斜する上向きのエッジを持っている。
【００２４】
保持／上昇タブ４０ａ―４０ｄがディスクの中央の穴を完全に通過した後、これら保持／上昇タブ４０ａ―４０ｄにかかる下方への力はもはや存在しなくなる。直立タブ３８ａ―３８ｄ、水平面３５ａ―３５ｄおよび突出部３４ａ―３４ｄを含む、保持／上昇タブ４０ａ―４０ｄに接する部材に対する下方への力も、同様になくなる。その結果、各保持／上昇タブ４０ａ―４０ｄが中央点Ｃから離れ、（ディスクの中央の穴のすぐ近傍の）ディスクの各部の上に移動し、それによってそのディスクを固定するように、全ての部材は、それらの初期定位置に戻る方向にたわむ。さらに、先に論じかつ図４に部分的に示すように、各直立タブ３８ａ―３８ｄは、それらの各低内側端部で中央リリースボタン４２に接続されている。このため、直立タブ３８ａ−３８ｄと中央リリースボタン４２との間のそのような接続は、保持／上昇タブ４０ａ―４０ｄによってそのディスクの固定をさらに容易にすべく、直立タブ３８ａ−３８ｄ上に、さらなる上向きのバイアスを与える。
【００２５】
先に論じた固定位置において、そのディスクの外周は保持リング２０のリッジ２２上にのり（図２）、そのディスクの内周であって、そのディスクの中央の穴のすぐ近傍は、水平角表面３３ａ，３３ｂ，３３ｃ，３３ｄ（図４に示される平面Ｂのすぐ上）と同様、水平面３５ａ，３５ｂ，３５ｃ，３５ｄの上にのる。ディスクがのるリッジ２２は、後部カバー１４の後部表面２４のわずか上にあるので、そのディスクのデータ保存部分と後部カバー１４の後部表面２４との間に小さな隙間ができる。
【００２６】
そのディスクを固定位置から解放するには、中央リリースボタン４２を、それと接続された直立タブ３８ａ―３８ｄに対して下向きに力が加わる向きに押す。直立タブ３８ａ―３８ｄは、いわゆる先に述べたそのディスクの挿入時に似たように、図５に示される位置まで中央点Ｃに近づく。直立タブ３８ａ―３８ｄが中央点Ｃに向かう内方および下方に移動する時、保持／上昇タブ４０ａ―４０ｄも、同様に、内方および下方に移動し、そのような動作中、保持／上昇タブ４０ａ―４０ｄは、そのディスクの中央の穴を下方に向かって通過し、それによってそのディスクを解放する。そのディスクを解放するに加えて、すぐに直立タブ３８ａ―３８ｄおよび保持／上昇タブ４０ａ―４０ｄが、図５に示される位置にある時、中央リリースボタン４２は、いろいろな部材が弱くなったり破損するような好ましくない状態となる下方位置にまで直立タブ３８ａ―３８ｄが押されることを防止している。先に論じたように、そのディスクの固定の補助を容易にし、そしてそのディスクの解放を容易にするに加え、その中央リリースボタン４２は、本発明の全ての可動部材間の安定性を付与し、予め決められた位置へのいろいろなパーツの動作を規制している。そして、さらに、本発明によれば、ディスク保持機構３０の全ての部材と後部カバー１４は、相互に確実に接続されている。このように、いずれかの部材が損傷しても、これらの壊れた部材または容器１０全体は、バラバラにならないようになっている。このことは、裏を返せば、本発明の容器１０は、従来の設計と比べて、設計上の安全基準を大きく高めていることになる。
【００２７】
図６は、本発明を実現する別のディスク保存容器（単に、容器ともいう）６０を示す。図示されるように、ディスク保存容器６０は、前記実施の形態に示される全ての部材を有する。すなわち、ディスク保存容器６０は、１個の前部カバー（または蓋）６２、１個の後部カバー（またはベース）６４、１個の背骨部６６および一対のクリップ６８を含む。容器６０は、さらに、背骨部６６に接続される、１個の第２ディスクホルダー拡張部（「第２ディスクホルダー」という）７０を有する。前部カバー６２および後部カバー６４の部分を示す、背骨部６６の拡大側面図である図７に示されるように、背骨部６６は、２組のホルダー７２を有している（図７では１組のみが示されている）。各ホルダー７２は、グリップ開口部７４によってその第２ディスクホルダー７０を受け取りかつこれを保持する（図６に示される開口部７４）。また、第２ディスクホルダー７０は、前記実施の形態における保持リング２０およびディスク保持機構３０と同様に機能する、１個の保持リング７８および１個のディスク保持機構（＝第２ディスク保持機構）８０を有する。ここでは、この程度とし、さらなる記述は割愛される。
【００２８】
ここで記述された本発明は、本発明の趣旨および要旨の範囲内で変更され得る。例えば、各種表面は、記述されたディスク保持機構３０，８０の機能に影響を与えることなしに変更され得る。例えば、図３に示される表面３２ａ，３２ｂ，３２ｃ，３２ｄは、中央点Ｃに向かう内方と同様に、上方に伸びるようにも記述される。しかし、水平角表面３３ａ−３３ｄに接続されたこれらの表面は、必ずしも上方に伸びる必要はなく、同じ平面（すなわち、図４の平面Ａ）に沿って、後部カバー２４（図２）から伸びても良い。さらに、突出部３４ａ―３４ｄおよびこれに接続された水平面３５ａ−３５ｄ（図３参照）は、ともに後部表面２４から上方に伸びる単一の平面に代替されても良い。
【００２９】
なお、請求の範囲記載の発明は、ここで記述された実施の形態、上記の変更例およびこれと均等なもの全てを含むものとして解釈される。
【００３０】
また、前記の実施の形態は、あくまでも例示にすぎず、本発明を唯一のものに制限する趣旨のものではなく、添付の図面と共に最良の実施形態として評価されるものである。
【００３１】
【発明の効果】
本発明によれば、迅速、簡単かつ効果的にディスクの挿脱を可能とする、ディスク保存容器を提供することができる。
【図面の簡単な説明】
【図１】本発明のディスク保存容器の斜視図である。
【図２】本発明のディスク保存容器の後部カバーを内部から見た上面図である。
【図３】後部カバー内部に設けられた、本発明のディスク保持機構の拡大上面図である。
【図４】本発明のディスク保持機構の側断面図である。
【図５】ディスク挿入時に下方に押し込まれた状態における、本発明のディスク保持機構の側断面図である。
【図６】本発明のディスク保持容器の別の実施の形態である。
【図７】図６に示す実施の形態における背骨部の側方拡大図である。
【符号の説明】
１０　ディスク保存容器
１２　前部カバー
１４　後部カバー
１６　背骨部（回転軸）
２４　後部表面
３０　ディスク保持機構
３１　第２表面
３３　水平角表面（水平面）
３４　突出部（突出表面）
３５　水平面
３７　第１表面
３８　直立タブ
４０　保持タブ
４２　中央リリースボタン（直立タブ制限手段）
６０　ディスク保存容器
６２　前部カバー
６４　後部カバー
６６　背骨部（回転軸）
７０　第２ディスクホルダー
８０　第２ディスク保持機構
【図１】
2004043019.tif 000003
【図２】
2004043019.tif 000004
【図３】
2004043019.tif 000005
【図４】
2004043019.tif 000006
【図５】
2004043019.tif 000007
【図６】
2004043019.tif 000008
【図７】
2004043019.tif 000009